(57)【特許請求の範囲】
【請求項１】
タッチパネル付き表示器を備え、前記タッチパネルのタッチ操作でメニューを含むオーダーを入力するオーダーデータ入力装置において、
タッチ操作でメニューを入力可能な複数の表示メニューキーを表示するメニュー表示手段と、
複数の表示メニューキーの組合せである表示組合パターンと座席情報とを対応させて記憶するパターン記憶手段と、
各座席の使用中状態および未使用状態が判別可能な座席一覧をタッチパネル付き表示器に表示する座席表示手段と、
表示された座席一覧の中でタッチ操作された座席の座席情報を入力する座席入力制御手段と、
前記座席表示手段によって表示された座席一覧の中から選択された座席の座席情報が、前記座席入力制御手段によってメニュー入力前に入力された場合に、前記パターン記憶手段に記憶されている種類の異なる複数の表示組合パターンの中から前記入力された座席情報に対応する表示組合パターンを選択するパターン選択手段と、
選択された表示組合パターンに基づく複数表示メニューキーをタッチパネル付表示器に当該パターンで表示するメニューキー表示制御手段と、
を備えたことを特徴とするオーダーデータ入力装置。
【請求項２】
メニューを含むオーダーを入力するオーダーデータ入力装置において、
見開き可能な一方扉体と他方扉体から形成された本体と、
前記一方扉体の内面に設けられたタッチパネル付き表示器と、
表示メニューキーの組合せである表示メニュー組合パターンと座席情報とを対応させて記憶可能なパターン記憶手段と、
タッチ操作でメニューを入力可能な複数の表示メニューキーを表示するメニュー表示手段と、
各座席の使用中状態および未使用状態が判別可能な座席一覧を前記タッチパネル付き表示器に表示する座席表示手段と、
表示された座席一覧の中でタッチ操作された座席の座席情報を入力する座席入力制御手段と、
前記座席表示手段によって表示された座席一覧の中から選択された座席の座席情報が、前記座席入力制御手段によってメニュー入力前に入力された場合に、前記パターン記憶手段に記憶されている種類の異なる複数の表示組合パターンの中から前記入力された座席情報に対応する表示組合パターンを選択するパターン選択手段と、
選択された表示組合パターンに基づく複数表示メニューキーをタッチパネル付表示器に当該パターンで表示するメニューキー表示制御手段と、
を備えたことを特徴とするオーダーデータ入力装置。
【発明の詳細な説明】
【０００１】
【発明の属する技術分野】
本発明は、メニュー入力前に入力すべき条件およびメニューを含むオーダーデータを入力するオーダーデータ入力装置に関する。
【０００２】
【従来の技術】
従来のオーダーデータ入力装置を含むオーダーデータ処理装置は、図１３に示すように、オーダーメニューを入力する複数のハンディターミナル１０Ｐと，入力されたオーダーデータを管理するオーダー管理手段７０（無線親局７８）と，オーダーデータについて会計処理を行う会計手段９０とから構成され、さらに伝票発行用プリンタ８０と厨房４００に配設されたキッチンプリンタ８５とを設けている。会計手段９０は、店舗出入口（会計所）３００に配設されている。
【０００３】
かくして、係員ＷＲＫは、客室１００内の各テーブル１０１を廻って、携帯するハンディターミナル１０Ｐを用いて各客ＣＳＴのオーダーメニューを含むオーダーデータを順番に入力する。なお、メニューは、メニュー入力前に入力しておくべき条件（例えば、テーブル番号…座席，客人数等）が入力済みであることを前提として、入力可能である。
【０００４】
オーダーデータは、オーダー管理手段７０で管理されるとともに、この手段７０を介して両プリンタ８０，８５に転送される。厨房４００ではキッチンプリンタ８５から発行されたオーダー伝票に基づき調理を開始する。伝票発行用プリンタ８０から発行されたカスタマー伝票は、当該係員ＷＲＫによって当該客ＣＳＴが着席するテーブル１０１に置かれる。
【０００５】
係員ＷＲＫは、ときどき厨房４００を覗き、自己担当の調理済メニューがあると、これを当該客ＣＳＴへ配膳しカスタマー伝票に手書きチェックを入れる。
【０００６】
飲食後の客ＣＳＴからカスタマー伝票を受取ったキャッシャーが、会計手段９０を用いて伝票番号等を入力すると、当該オーダーデータがオーダー管理手段７０からデータ通信回線７９を介して転送されてくる。そして、そのオーダーデータについて会計処理する。かくして、多数客の多数オーダーメニューについて正確に管理処理できるとともに店舗実稼動率を高められる。
【０００７】
ここに、従来のオーダーデータ入力装置を形成するハンディターミナル１０Ｐは、図１４に示す如く、本体１５ＢＰの正面の大部分に複数の押圧操作型の固定メニューキー６１ＫＰを有する固定メニューキー部６０Ｐを配置し、その上部に表示部４９Ｐを設けた構造とされている。しかし、この構造では、携帯性からの平面形状（大きさ）の制限および取扱い（押圧操作性）の妥当性確保の点から、固定メニューキー６１ＫＰの数を増大できない。
【０００８】
そこで、図１５に示すように、本体をヒンジ１９Ｐで連結された２枚扉体構造（１１Ｐ，１５Ｐ）として、それぞれに固定メニューキー部６０Ｐ２，６０Ｐ１と表示部４９Ｐ２，４９Ｐ１とを設け、固定メニューキー６１ＫＰを２倍数に増大したものがある。しかし、この構造は重くなる問題がある。
【０００９】
【発明が解決しようとする課題】
ところで、オーダーデータ入力を迅速かつ正確に行うことが業務能率の向上に直結する。一方において、メニュー（キー）の種類は、一段と増加傾向にある。すなわち、数量的に、１または２平面内に並列表示するだけでは、その数が不足する場合が多くなっている。例えば、１つのメニュー（サラダ）の下位概念的メニュー（和風サラダ，サウザンサラダ，フレンチサラダ，ポテトサラダ，ツナサラダ，…）がある場合、それ以降の増加分が足らなくなってしまう。
【００１０】
しかるに、従来のハンディターミナル（図１４１４，図１５）は、各固定メニューキー６１ＫＰ１（６１ＫＰ２）が固定配設されかつ各固定メニューキー６１ＫＰ（６１ＫＰ２）に当該各メニューが割付けられている。しかも、各ハンディターミナルのキーレイアウトつまり複数メニューキーの組合せは画一的である。
【００１１】
したがって、ハンディターミナルを携帯する各係員の担当部署，時間帯等々によって、当該時におけるキー使用範囲が限定されるのにも拘わらず、全範囲的な多数のメニューキーの中からオーダーされたメニューキーを選択しかつ押圧操作しなければならないので、手間と時間が掛かり、ミス操作が生じ易い。
【００１２】
つまり、運用の実際上、業務能率に大差が生じる。絶対キー数が多いほど能率低下が顕著である。例えば、昼食時間帯では、頻繁に使用するメニュー（“定食”）キー６１ＫＰが集中しかつ他の不使用メニューキーが存在しなければ、飛躍的に迅速入力できる筈である。
【００１３】
さらに、メニューキー入力との関係上必須で頻繁に使用する転送キー，エンターキー等が固定メニューキーに混在するので、選択操作に一段と手間が掛りかつ取扱いが一段と難しい。
【００１４】
特に、図１５に示すメニューキーの増大を企図したハンディターミナルの場合は、当該時に不必要なメニューキー６１ＫＰが多いので、より一段と取り扱いが難しい。このことは、メニューキーの増大を阻害する事由でもある。つまり、操作容易性とキー数増大とは、背反する。
【００１５】
だからといって、固定メニューキー６１ＫＰに割付けられているメニューをソフトウエア的に改変して、各固定メニューキー６１ＫＰの組合パターン（レイアウト）を見掛上変更するには、ソウトウエア的改変等を必要とする。しかし、これには、技術的・専門的な知識が必要でかつ長時間を必要とする。
【００１６】
したがって、上記場合で言えば、昼食時間帯の直前に固定メニュー（“定食”）キー６１ＫＰを集中的に含む組合パターン（レイアウト）を変更をすることは、実際上、不可能である。
【００１７】
かくして、従来は平均的な係員をベースに各固定メニューキー６１ＫＰの組合せパターン（レイアウト）が決定されているので、総合的（全店舗，全係員）な業務能率の低下が余儀なくされていた。
【００１８】
本発明の目的は、メニューキーの増大を図りつつメニューキーの組合パターンを簡単かつ迅速に選択的に変更することができるオーダーデータ入力装置を提供することにある。
【００１９】
【課題を解決するための手段】
請求項１の発明は、タッチパネル付き表示器を備え、前記タッチパネルのタッチ操作でメニューを含むオーダーを入力するオーダーデータ入力装置において、タッチ操作でメニューを入力可能な複数の表示メニューキーを表示するメニュー表示手段と、複数の表示メニューキーの組合せである表示組合パターンと座席情報とを対応させて記憶するパターン記憶手段と、各座席の使用中状態および未使用状態が判別可能な座席一覧をタッチパネル付き表示器に表示する座席表示手段と、表示された座席一覧の中でタッチ操作された座席の座席情報を入力する座席入力制御手段と、前記座席表示手段によって表示された座席一覧の中から選択された座席の座席情報が、前記座席入力制御手段によってメニュー入力前に入力された場合に、前記パターン記憶手段に記憶されている種類の異なる複数の表示組合パターンの中から前記入力された座席情報に対応する表示組合パターンを選択するパターン選択手段と、選択された表示組合パターンに基づく複数表示メニューキーをタッチパネル付表示器に当該パターンで表示するメニューキー表示制御手段と、を備えたオーダーデータ入力装置である。
【００２０】
かかる発明では、例えば、昼食時間帯において、オーダーメニューを入力するために当該メニュー入力前に、座席情報を入力すると、予め記憶された種類の異なる複数の表示組合パターンの中からこの座席情報に対応する表示組合パターンが選択され、かつ選択された表示組合パターンに基づく複数表示メニューキーがタッチパネル付き表示器に表示される。しかも、表示されたメニューキーをタッチ操作するだけで、当該メニューを迅速かつ正確に入力することができる。
【００２１】
かくして、例えば、ランチ専用客室（座席情報）をメニュー入力前に入力すると、各種ランチメニューに関する表示メニューキーを集中させた表示組合パターンに選択変更（切替え）した使用ができる。したがって、メニューキーを大幅に増大できるとともに表示組合パターン（レイアウト）の選択的変更を簡単かつ迅速に行えるとともに、オーダーデータ入力業務能率を大幅に向上できる。
【００２２】
請求項２の発明は、メニューを含むオーダーを入力するオーダーデータ入力装置において、見開き可能な一方扉体と他方扉体から形成された本体と、前記一方扉体の内面に設けられたタッチパネル付き表示器と、表示メニューキーの組合せである表示メニュー組合パターンと座席情報とを対応させて記憶可能なパターン記憶手段と、タッチ操作でメニューを入力可能な複数の表示メニューキーを表示するメニュー表示手段と、各座席の使用中状態および未使用状態が判別可能な座席一覧を前記タッチパネル付き表示器に表示する座席表示手段と、表示された座席一覧の中でタッチ操作された座席の座席情報を入力する座席入力制御手段と、前記座席表示手段によって表示された座席一覧の中から選択された座席の座席情報が、前記座席入力制御手段によってメニュー入力前に入力された場合に、前記パターン記憶手段に記憶されている種類の異なる複数の表示組合パターンの中から前記入力された座席情報に対応する表示組合パターンを選択するパターン選択手段と、選択された表示組合パターンに基づく複数表示メニューキーをタッチパネル付表示器に当該パターンで表示するメニューキー表示制御手段と、を備えたオーダーデータ入力装置である。
【００２３】
かかる発明では、予め複数の表示メニューキーを組み合わせた例えば時間帯ごとの表示組合パターンを作成してパターン記憶手段に記憶させておく。使用に際しては、本体を見開き状態としかつ例えば左手で一方扉体をタッチパネル付き表示器が上方に向く状態として持つ。そして、例えば一方扉体の内面に設けられた条件入力手段を用いて座席情報を入力する。
【００２４】
すると、パターン選択手段が、パターン記憶手段に記憶されている種類の異なる複数の表示組合パターンの中から当該座席情報に対応する表示組合パターンを選択する。引き続き、メニューキー表示制御手段が、選択された表示組合パターンに基づく複数表示メニューキーをタッチパネル付き表示器に表示する。したがって、左手で支えた一方扉体側の表示メニューキーを右手でタッチ操作しつつメニューを入力することができる。
【００２５】
したがって、請求項１の発明の場合と同様な作用効果を奏することができ得ることはもとより、さらに使用頻度の高い各表示メニューキーは、選択的に切り替えできるので、その数を大幅に増大しつつ平面的面積を大きくできる。つまり、隣接する他の表示メニューキーに誤って触れることなく正確かつ容易にタッチ操作できる。また、タッチパネル付き表示器を設けた一方扉体にパターン記憶手段，メニューキー表示制御手段が設けられているから、力学的に安定した状態でタッチ操作によるメニュー入力ができるとともに、配線の最短化，簡素化および低コスト化を図れる。
【００２６】
【発明の実施の形態】
以下、本発明の実施形態について図面を参照して説明する。本オーダーデータ入力装置（１０）は、図１〜図３に示す如く、メニューを入力するためのメニューキーをタッチパネル付き表示器４０に表示可能でかつタッチ操作で当該メニューを入力可能な表示メニューキー４１Ｋから形成するとともに、パターン記憶手段（２３ＰＴ）とパターン選択手段（２１，２２）とメニューキー表示制御手段（２１，２２）とを設け、複数の表示メニューキー４１Ｋの組合せである表示組合パターンを記憶可能かつメニュー入力前に入力すべき条件が入力された場合にパターン記憶手段（２３ＰＴ）に記憶された種類の異なる複数の表示組合パターンの中から当該条件に対応する表示組合パターンを選択可能かつ選択された表示組合パターンに基づく複数表示メニューキーをタッチパネル付き表示器に当該パターンで表示可能に形成されている。
【００２７】
この実施形態では、図１〜図４にオーダーデータ入力装置を形成するハンディターミナル１０の構成を示し、図５にステーション（オーダー管理手段）７０の構成を示している。基本的構成・機能が従来例（図１３１３）の場合と同様なオーダーデータ処理装置を構成する他の構成要素（プリンタ，会計手段等）については、図示省略した。
【００２８】
図１，図２において、ハンディターミナル（ＨＴ）１０は、見開き可能な一方扉体（本体）１１と他方扉体（本体）１５とからなる。一方扉体１１内には、全体構成を概念的に示す図３の制御部（ＣＰＵ２１，ＲＯＭ２２，ＲＡＭ２３）２０と，センサ（ＳＮＲ）部３０と，無線通信部（ＷＬＴ）３５と，タッチパネル付き表示器４０用の駆動制御回路（Ｉ／Ｆ）４０Ｄと，押圧データ入力キー部５０用の駆動制御回路（Ｉ／Ｆ）５０Ｄと，固定メニューキー部６０用の駆動制御回路（Ｉ／Ｆ）６０Ｄとが格納されている。
【００２９】
ＲＡＭ２３は、データ処理作業領域を形成する他、メニューテーブル２３ＭＴ，オーダ−テーブル２３ＯＴ，座席状態管理テーブル２３ＳＴおよびパターンテーブル（パターン記憶手段）２３ＰＴを形成する。
【００３０】
この座席状態管理テーブル２３ＳＴには、例えば図４に示す如く、各座席（テーブル番号）と当該各状態（フラグ“０”…未使用状態，フラグ“１”…使用中状態）とが対応記憶される。また、パターンテーブル２３ＰＴには、図５に示すように、この実施形態では座席（グループＡ，Ｂ，…）とパターン（Ｐａ，Ｐｂ，…）とを対応記憶されている。例えば、表示組合パターンＰａ（Ｐｂ）による表示メニューキーの配列を、図１１（図１２）に示す。
【００３１】
また、この実施形態では、具体的なメニュー入力頻度の多い表示メニューキー４１Ｋを表示させること、他方扉体１５より重くなることおよび、この実施形態では右利き用に設計してあることから、この一方扉体１１を手持ち側としてある。
【００３２】
かくして、メニュー入力を安定して行えるとともに、信号線の多いタッチパネル付き表示器４０とその駆動制御回路（Ｉ／Ｆ）４０Ｄとを近接位置できるので性能を高められる。しかも、外部ノイズの影響や電力ロスを軽減できる。
【００３３】
本体（１１，１５）の見開き状態を示す図１において、右側他方扉体１５の内面１５Ｉの大部分には、複数の固定メニューキー６１Ｋを有する固定メニューキー部６０が設けられ、その上方部に覗き窓１７が設けられている。覗き窓１７は、透明プラスチック製である。
【００３４】
固定メニューキー６１Ｋの数は、固定メニューキー６１ＫＰを採用する従来例（図１４，図１５）の場合と同様な数である。大きさ（平面的面積）も同様な大きさである。したがって、固定メニューキー６１Ｋを用いたメニュー入力作業については、従来例の場合と同様と言える。
【００３５】
しかし、この実施形態では、固定メニューキー６１Ｋは、表示組合パターンを切替えない共通的なメニュー（例えば、“ビール”，“お酒”や“コーヒー”等）用としてある。したがって、表示組合パターンごとに当該共通的メニューを組み入れなくてもよく、かつ使用勝手が良い。
【００３６】
この他方扉体１５とヒンジ１９を介して見開き可能に連結された一方扉体１１の内面１１Ｉの大部分には、タッチパネル付き表示器４０（表示面４１Ｇ）が取り付けられている。
【００３７】
すなわち、表示面４１Ｇには、多数の表示メニューキー４１Ｋを切替え表示することができる。したがって、従来例（図１４，図１５）に比較してメニューキー（４１Ｋ）を大幅に増大できる。各表示メニューキー４１Ｋの平面的面積（大きさ）は、固定メニューキー６１Ｋの平面的面積よりも大きくされている。
【００３８】
例えば、図１１に示す固定メニュー（“Ｘ”＝“ビール”）キー６１Ｋよりも、表示メニュー（“Ａ定”）キー４１Ｋの方が平面的面積が大きい。つまり、一般的に、各キーの大きさ（平面的面積）が一定でかつ隣接間隔が小さい場合、固定メニューキー６１Ｋの押圧操作の場合よりも、表示メニューキー４１Ｋのタッチ操作の場合の方が、隣接する他の表示メニューキー４１Ｋに触れ易い。しかし、この実施形態では、表示メニューキー４１Ｋの表示個数や隣接間隔、さらには平面的面積の大きさが、自在に切替え可能に形成されているので、かかる従来的懸念を一掃することができる。
【００３９】
また、この実施形態では、タッチパネル付き表示器４０の下方定位置に設けられた固定キー部５０の固定キー５１Ｋを押圧操作して入力された数量（例えば、“２”）も表示面４１Ｇに表示される。ただし、数量（“１”）は自動入力とし、数量“２”以上の場合に固定キー５１Ｋを用いて入力するように形成してある。
【００４０】
この固定キー部５０は、オーダーメニュー以外のデータを入力するためのものでかつ入力使用頻度の高い固定キー５１Ｋからなる。この実施形態では、図１に示す“０”〜“９”を入力する置数キー，“Ｔ”と記した転送キー，“Ｄ”と記したパターン要求キー，“Ｅ”と記したエンターキー，“Ｃ”と記したクリアーキー等である。
【００４１】
かくすれば、固定キー５１Ｋを、固定メニューキー６１Ｋと隣接させて他方扉体１５側に設ける場合に比較して、固定キー５１Ｋの選択かつ押圧操作を正確・迅速に行え、しかも表示メニューキー４１Ｋとの識別も容易である。さらに、表示メニューキー４１Ｋをタッチ操作して実際に入力されたメニューに関連深いものを配置しておけるから、業務能率をより大幅に向上できかつ取扱いが一段と容易である。
【００４２】
また、図１に示す上方の定位置表示部４２は、閉じた状態を示す図２に示す如く、覗き窓１７に対応する定位置とされている。この定位置表示部４２には、表示メニューキー４１Ｋでない情報が表示される。つまり、図１に示す扉体の見開き状態（使用状態）で表示メニューキー４１Ｋを表示可能な部位（４２）に、他の情報を表示することができる。
【００４３】
したがって、タッチパネル付き表示器４０に情報表示用の専門部位を格別に設けなくてもよいから、本体（１１，１５）の小型化を図りつつ見開き状態時の表示メニューキー４１Ｋの数をより増大することができる。この実施形態では、呼出しメッセージ，通信エラーメッセージおよびバッテリー情報の３つの情報を表示可能に形成してある。したがって、結果としてミス入力を防止できかつその後のメニュー入力をより確実に行えるとともに、業務能率を向上できる。
【００４４】
図６において、オーダー管理手段を形成するステーション（ＳＴＮ）７０は、ＣＰＵ７１，ＲＯＭ７２，ＲＡＭ７３，ＨＤＤ（ハードディスク装置）７４，キーボード（ＫＢ）７５，表示器（ＩＮＤ）７６，無線親局７８が接続されたインターフェイス（Ｉ／Ｆ）およびデーター通信回線７９用のインターフェイス（Ｉ／Ｆ）を含み、オーダーデータを座席別に一括管理可能である。
【００４５】
ＲＡＭ７３内には、オーダー（売上）ファイル７３ＯＦと座席状態管理ファイル７３ＳＦとメニューファイル７３ＭＦとパターンファイル７３ＰＦとが設けられている。この座席状態管理ファイル７３ＳＦおよびパターンファイル７３ＰＦは、図４および図５に示す座席状態管理テーブル２３ＳＴおよびパターンテーブル２３ＰＴの場合と同様である。
【００４６】
ここにおいて、ハンディターミナル１０の電源を投入（ＯＮ）すると、問合手段（ＣＰＵ２１，ＲＯＭ２２）が、オーダー管理手段（７０）に座席状態管理情報を問合せる（図７のＳＴ１０でＮＯ，ＳＴ１５）。
【００４７】
これを受信（図１０のＳＴ４２でＹＥＳ）したオーダー管理手段（７０）側では、座席状態管理ファイル７３ＳＦを検索（ＳＴ４３）して、当該時点つまり最新の座席状態管理情報を読み出し当該ハンディターミナル１０に応答する（ＳＴ４４）。
【００４８】
当該ハンディターミナル１０では、更新制御手段（ＣＰＵ２１，ＲＯＭ２２）が、図４に示す座席状態管理テーブル２３ＳＴの状態欄を更新する（図７のＳＴ１６，ＳＴ１７）。すなわち、座席状態管理テーブル２３ＳＴに記憶された座席状態管理内容を、電源投入直後に外部（７０）から入手した最新の座席状態管理内容で更新（書き換え）することができる。したがって、各ハンディターミナル１０においてかつその場で、店舗内の各座席状態をリアルタイム的かつ正確に、しかも簡単に知ることができる。
【００４９】
すると、座席一覧表示制御手段（ＣＰＵ２１，ＲＯＭ２２）が、座席状態管理テーブル２３ＳＴを参照（検索）して各座席の使用中状態および未使用状態を判別可能に座席一覧をタッチパネル付き表示器４０（表示面４１Ｇ）に表示する（ＳＴ１０のＹＥＳ，ＳＴ１１，ＳＴ１２）。
【００５０】
例えば、使用中状態の座席は赤色，未使用状態の座席は青色として、図１に示すように表示する。
【００５１】
ここで、表示された座席一覧の中から選択された座席（表示座席キー４１Ｋ）がタッチ操作（ＳＴ１３のＹＥＳ）されると、座席入力取扱制御手段（ＣＰＵ２１，ＲＯＭ２２）が当該選択座席の入力として取り扱う（ＳＴ１４）。キー入力による従来例の場合と比較して、座席入力を迅速かつ正確に行える。
【００５２】
すなわち、この実施形態では、メニュー入力前に入力すべき“条件”がオーダーデータの一部を形成する“座席情報”とされかつ複数の座席（表示座席キー４１Ｋ）に関する“座席情報”をタッチパネル付き表示器４０に一覧表示可能でかつ選択された座席情報（座席キー４１Ｋ）をタッチ操作することにより当該座席情報を入力可能に形成されている。
【００５３】
このように、この実施形態では、条件入力手段を座席情報（表示メニューキー４１Ｋ）をタッチ操作するものと形成されているが、これに限定されない。例えば、一方扉体１１側の固定キー５１Ｋの一部や他方扉体１５側の固定メニューキー６１Ｋの一部から形成してもよい。
【００５４】
かくして、パターン選択手段（ＣＰＵ２１，ＲＯＭ２２）が、パターン記憶手段（２３ＰＴ）に記憶されている種類の異なる複数の表示組合パターンの中から当該条件（座席情報）に対応する表示組合パターンを選択する（図８のＳＴ１５，ＳＴ１６）。
【００５５】
すると、メニューキー表示制御手段（ＣＰＵ２１，ＲＯＭ２２）が、選択された表示組合パターンに基づく複数表示メニューキー４１Ｋを、タッチパネル付き表示器４０に例えば図１１，図１２に示す如く表示する（ＳＴ１７）。しかも、表示された表示メニューキー４１Ｋをタッチ操作（ＳＴ１８のＹＥＳ）するだけで、当該メニューを迅速かつ正確に入力することができる（ＳＴ１９）。
【００５６】
入力された選択座席，メニュー等を含むオーダーデータは、登録制御手段（ＣＰＵ２１，ＲＯＭ２２）によってオーダーテーブル２３ＯＴに登録（ＳＴ２０）される。そして、転送（”Ｔ”）キー５１Ｋの押圧操作（ＳＴ２１のＹＥＳ）で、ステーション７０に転送される（ＳＴ２２）。
【００５７】
ステーション７０では、このオーダーデータをオーダーファイル７３ＯＦに登録する（図１０のＳＴ４０，ＳＴ４１）。この登録あるいは会計済みによるオーダーデータの消去によって、座席状況管理ファイル７３ＳＦは更新される。
【００５８】
ハンディターミナル１０側では、転送後に電源がＯＦＦされる（ＳＴ２７のＹＥＳ）。節電を図りかつ電源再投入時の座席状態管理情報の更新実行を担保するためである。
【００５９】
店内レイアウト変更等により表示組合パターンを変更する必要性を考慮して、パターン要求キー（“Ｄ”キー）５１Ｋを押圧操作（図９のＳＴ３０でＹＥＳ）すると、パターン問合手段（ＣＰＵ２１，ＲＯＭ２２）がステーション７０に問合せる（ＳＴ３１）。ステーション７０は、パターンファイル７３ＰＦを検索（図１０のＳＴ４５，ＳＴ４６）して得た最新の表示組合パターンを当該ハンディターミナル１０に応答する（ＳＴ４７）。かくして、ハンディターミナル１０が、パターンテーブル２３ＰＴを更新（図９のＳＴ３２，ＳＴ３３）可能に形成してある。
【００６０】
なお、タッチパネル付き表示器４０に表示された座席一覧の中から座席が選択入力（図７のＳＴ１４）された場合において、判別手段（ＣＰＵ２１，ＲＯＭ２２）に当該選択座席（例えば、図１に示す“Ａ０１”）が未使用状態であるか否かを判別させ、未使用状態（フラグ“０”）であると判別された場合には、メニュー入力画面（図８のＳＴ１７）の表示前に、新規オーダーに関する必須項目入力画面を表示させるように形成することができる。
【００６１】
かかる場合、必須項目入力画面に表示される必須項目には、少なくとも客人数が含めるのが好ましい。さらに、表示される必須項目（例えば、“客種”）の入力内容一覧（例えば、“子供”，“青年”，“中年”，“老年”）も表示させるのが好ましい。かくすれば、必須項目内容をも正確かつ簡単に入力することができる。もとより、これら必須項目を、メニュー入力前の条件とすることもできる。
【００６２】
かかる構成の実施形態では、係員は、手持ち側の一方扉体１１を左手で持ち、図１に示すように本体（１１，１５）を見開き状態とする。つまり、ヒンジ１９を中心に、両扉体１１，１５を左右に開く。センサ（ＳＮＲ）部３０がこれを検出する。これにより、定位置表示部４２への情報表示を禁止する。
【００６３】
ここで、ハンディターミナル１０の電源を投入（ＯＮ）すると、問合手段（２１，２２）が、オーダー管理手段（７０）に座席状態管理情報を問合せる（図７のＳＴ１０でＮＯ，ＳＴ１５）。オーダー管理手段（７０）は、座席状態管理ファイル７３ＳＦを検索して得た最新の座席状態管理情報を当該ハンディターミナル１０に応答する（図１０のＳＴ４２〜ＳＴ４４）。
【００６４】
当該ハンディターミナル１０では、更新制御手段（２１，２２）が、図４に示す座席状態管理テーブル２３ＳＴの状態欄を更新する（図７のＳＴ１６，ＳＴ１７）。したがって、各ハンディターミナル１０においてかつその場で、店舗内の各座席状態をリアルタイム的かつ正確に、しかも簡単に知ることができる。
【００６５】
すると、座席一覧表示制御手段（２１，２２）が、座席状態管理テーブル２３ＳＴを参照（検索）して各座席の使用中状態および未使用状態を判別可能に座席一覧をタッチパネル付き表示器４０（表示面４１Ｇ）に表示する（ＳＴ１０のＹＥＳ，ＳＴ１１，ＳＴ１２）。例えば、使用中状態の座席は赤色，未使用状態の座席は青色として、図１に示すように表示する。
【００６６】
ここで、表示された座席一覧の中から選択された座席（表示座席キー４１Ｋ）がタッチ操作（ＳＴ１３のＹＥＳ）されると、座席入力取扱制御手段（ＣＰＵ２１，ＲＯＭ２２）が当該選択座席の入力して取り扱う（ＳＴ１４）。キー入力による従来例の場合と比較して、座席入力を迅速かつ正確に行える。
【００６７】
かくして、パターン選択手段（ＣＰＵ２１，ＲＯＭ２２）が、パターン記憶手段（２３ＰＴ）に記憶されている種類の異なる複数の表示組合パターンの中から当該条件（座席情報）に対応する表示組合パターンを選択する（図８のＳＴ１５，ＳＴ１６）。
【００６８】
例えば、図１，図５に示すＡグループ（Ａ０１〜Ａ１０のいずれか）を選択した場合の表示組合パターンは、図１１に示す“Ａ定”，“Ｂ定”，“Ｃ定”，…である。昼食時間帯に使用する。また、Ｂグループ（Ｂ０１，Ｂ０２，Ｂ０３，…のいずれか）を選択した場合の表示組合パターンは、図１２に示す“かつお刺”，“かに”，“えび”，…である。魚介類コーナーで使用される。
【００６９】
すると、メニューキー表示制御手段（ＣＰＵ２１，ＲＯＭ２２）が、選択された表示組合パターンに基づく複数表示メニューキー４１Ｋを、タッチパネル付き表示器４０に、例えば図１１，図１２に示す如く表示する（ＳＴ１７）。しかも、表示された表示メニューキー４１Ｋをタッチ操作（ＳＴ１８のＹＥＳ）するだけで、当該メニューを迅速かつ正確に入力することができる（ＳＴ１９）。
【００７０】
入力された選択座席，メニュー等を含むオーダーデータは、登録制御手段（ＣＰＵ２１，ＲＯＭ２２）によってオーダーテーブル２３ＯＴに登録（ＳＴ２０）される。そして、転送（”Ｔ”）キー５１Ｋの押圧操作（ＳＴ２１のＹＥＳ）で、ステーション７０に転送される（ＳＴ２２）。
【００７１】
ハンディターミナル１０側では、転送後に電源がＯＦＦされる（ＳＴ２７のＹＥＳ）。節電を図りかつ電源再投入時の座席状態管理情報の更新実行を担保するためである。
【００７２】
しかして、この実施形態によれば、複数の表示メニューキー４１Ｋの組合せである表示組合パターンを記憶可能かつメニュー入力前に入力すべき条件が入力された場合に記憶された種類の異なる複数の表示組合パターンの中から当該条件に対応する表示組合パターンを選択可能に形成され、さらに選択された表示組合パターンに基づく複数表示メニューキー４１Ｋをタッチパネル付き表示器４０に当該パターンで表示可能に形成されているので、例えば、ランチ専用客室（座席情報）を条件とする場合には、各種ランチメニューに関する表示メニューキー４１Ｋを集中させた表示組合パターンに選択変更（切替え）するような使用ができる。したがって、表示メニューキー４１Ｋを大幅に増大できるとともに表示組合パターン（レイアウト）の選択的変更を簡単かつ迅速に行えるとともに、オーダーデータ入力業務能率を大幅に向上できる。
【００７３】
また、パターン記憶手段（２３ＰＴ）とパターン選択手段（２１，２２）とメニューキー表示制御手段（２１，２２）とを設け、条件（座席情報）を入力するだけで、例えば時間帯，客室等に応じた最適な表示メニューキー４１Ｋに簡単かつ迅速に切り替えることができるから、取り扱いが一段と簡単である。
【００７４】
また、メニュー入力前に入力すべき条件がオーダーデータの一部を形成する座席情報とされているので、格別の選択変更操作をしなくてもよいので、取り扱いがより一段と簡単である。
【００７５】
また、複数の座席に関する座席情報をタッチパル付き表示器４０に一覧表示可能でかつ選択された座席をタッチ操作することにより当該座席の座席情報を入力可能に形成されているので、タッチパネル付き表示器４０のタッチ操作によって条件とメニューとを連続的に入力できるから、オーダーデータをより迅速に入力することができる。
【００７６】
また、本体を見開き可能な一方扉体１１と他方扉体１５から形成し、一方扉体１１にパターン記憶手段（２３ＰＴ）を内蔵させるとともにタッチパネル付き表示器４０とパターン選択手段（２１，２２）とメニューキー表示制御手段（２１，２２）とを設け、かつ一方扉体１１（または／および他方扉体１５）にメニュー入力前に入力すべき条件を入力するための条件入力手段（４１Ｋ）を設け、大きさが一定のタッチパネル付き表示器４０により多数の表示メニューキー４１Ｋを選択切替表示可能に形成されているので、各表示メニューキー４１Ｋの数を大幅に増大しつつ平面的面積を大きくできる。つまり、隣接する他の表示メニューキー４１Ｋに誤って触れることなく正確かつ容易にタッチ操作できる。また、力学的に安定した状態でタッチ操作によるメニュー入力ができるとともに、配線の最短化，簡素化および低コスト化を図れる。
【００７７】
さらに、一方扉体１１が手持ち側とされているので、より一段と取扱い容易であるとともに、制御部２０やタッチパネル付き表示器４０の駆動制御回路４０Ｄ等を信号線の多いタッチパネル付き表示器４０に近接して配置できるから、性能を向上できかつコスト低減も図れる。
【００７８】
さらに、一方扉体１１の内面１１Ｉの定位置（５０）に、オーダーメニュー以外のデータを入力するためのものでかつ入力使用頻度の高い固定キー（置数キー，伝送キーＴ，エンターキーＥ，パターン要求キーＤ，クリアキーＣ）５１Ｋが設けられているので、この固定キー５１Ｋを他方扉体１５側の固定メニューキー６１Ｋと隣接させて当該他方扉体１５側に設ける場合に比較して、固定キー５１Ｋの選択かつ押圧操作を正確・迅速に行え、しかも表示メニューキー４１Ｋとの識別も容易である。さらに、表示メニューキー４１Ｋをタッチ操作して実際に入力されたメニューに関連深いものを配置しておけるから、業務能率をより大幅に向上できかつ取扱いが一段と容易である。
【００７９】
さらにまた、他方扉体１５に、本体（１１，１５）を閉じた状態において、当該他方扉体１５の外面１５Ｏ側から一方扉体１１のタッチパネル付き表示器４０の定位置（４２）に表示された情報を目読可能な覗き窓１７が設けられているので、不使用状態における構成要素の保護を担保しつつタッチパネル付き表示器４０のタッチパネル付き表示器４１Ｇを有効利用できるとともに、品切れメニューや空きテーブル等に関する情報伝達機能を付加できる。
【００８０】
【発明の効果】
請求項１の発明によれば、メニュー入力前に、座席情報を入力すると、この座席情報に対応する表示組合パターンが選択可能に形成され、さらに、選択された表示組合パターンに基づく複数表示メニューキーがタッチパネル付き表示器に当該パターンで表示可能に形成されているから、例えば、ランチ専用客室（座席情報）を条件とする場合には、各種ランチメニューに関するメ表示ニューキーを集中させた表示組合せパターンに選択変更（切替え）するような使用ができる。したがって、メニューキーを大幅に増大できるとともに表示組合パターン（レイアウト）の選択的変更を簡単かつ迅速に行え、オーダーデータ入力業務能率を大幅に向上できる。
【００８１】
また、座席情報を入力するだけで、例えば時間帯，客室場等に応じた最適な表示メニューキーに簡単かつ迅速に切り替え変更することができるから、取り扱いが一段と簡単である。
【００８２】
また、座席情報の入力以外に格別の選択変更操作をしなくても表示組合せパターンに選択変更できるので、取り扱いがより一段と簡単である。
【００８３】
さらに、タッチパネル付き表示器のタッチ操作によって条件とメニューとを連続的に入力できるから、オーダーデータをより迅速に入力することができる。
【００８４】
請求項２の発明によれば、本体を見開き可能な一方扉体と他方扉体から形成し、一方扉体にパターン記憶手段を内蔵させるとともに、タッチパネル付き表示器とパターン選択手段とメニューキー表示制御手段とを設けているので、力学的に安定した状態でタッチ操作によるメニュー入力ができるとともに、配線の最短化，簡素化および低コスト化を図れる。
また、大きさが一定のタッチパネル付き表示器により多数の表示メニューキーを選択切替表示可能に形成しているので、請求項１の発明の場合と同様な効果を奏することができ得ることはもとより、さらに表示メニューキーの数を大幅に増大しつつ平面的面積を大きくできる。つまり、隣接する他の表示メニューキーに誤って触れることなく正確かつ容易にタッチ操作できる。
【図面の簡単な説明】
【図１】  本発明の実施形態に係る見開き状態を説明するための平面図である。
【図２】  同じく、閉じた状態で他方扉体の外面側から見た平面図である。
【図３】  同じく、全体構成を示すブロック図である。
【図４】  同じく、座席状態管理テーブルを説明するための図である。
【図５】  同じく、パターンテーブル（パターン記憶手段）を説明するための図である。
【図６】  同じく、オーダー管理手段の全体構成を示すブロック図である。
【図７】  同じく、ハンディターミナル側の動作を説明するためのフローチャート（１）である。
【図８】  同じく、ハンディターミナル側の動作を説明するためのフローチャート（２）である。
【図９】  同じく、ハンディターミナル側の動作を説明するためのフローチャート（３）である。
【図１０】  同じく、オーダー管理手段側の動作を説明するためのフローチャートである。
【図１１】  同じく、パターンの表示態様例（１）を説明するための図である。
【図１２】  同じく、パターンの表示態様例（２）を説明するための図である。
【図１３】  本発明および従来例にかかるハンディターミナルを使用するオーダーデータ処理装置の１例を説明するための図である。
【図１４】  従来例（１）を説明するための図である。
【図１５】  従来例（２）を説明するための図である。
【符号の説明】
１０  ハンディターミナル（オーダーデータ入力装置）
１１  一方扉体（本体）
１１Ｉ  内面
１１Ｏ  外面
１５  他方扉体（本体）
１５Ｉ  内面
１５Ｏ  外面
１７  覗き窓
２０  制御部
２１  ＣＰＵ（パターン選択手段，メニューキー表示制御手段）
２２  ＲＯＭ（パターン選択手段，メニューキー表示制御手段）
２３  ＲＡＭ
２３ＭＴ  メニューテーブル
２３ＯＴ  オーダーテーブル
２３ＳＴ  座席状況管理テーブル
２３ＰＴ  パターンテーブル（パターン記憶手段）
４０  タッチパネル付き表示器
４１Ｇ  表示面
４１Ｋ  表示メニューキー（メニューキー，座席情報，条件入力手段）
５０  固定キー部
５１Ｋ  固定キー
６０  固定メニューキー部
６１Ｋ  固定メニューキー（メニューキー）
７０  ステーション（オーダー管理手段）
７１  ＣＰＵ
７２  ＲＯＭ
７３  ＲＡＭ
７３ＭＦ  メニューファイル
７３ＯＦ  オーダーファイル
７３ＳＦ  座席状態管理ファイル
７３ＰＦ  パターンファイル
【図１】
0003849899.tif 000002
【図２】
0003849899.tif 000003
【図３】
0003849899.tif 000004
【図４】
0003849899.tif 000005
【図５】
0003849899.tif 000006
【図６】
0003849899.tif 000007
【図７】
0003849899.tif 000008
【図８】
0003849899.tif 000009
【図９】
0003849899.tif 000010
【図１０】
0003849899.tif 000011
【図１１】
0003849899.tif 000012
【図１２】
0003849899.tif 000013
【図１３】
0003849899.tif 000014
【図１４】
0003849899.tif 000015
【図１５】
0003849899.tif 000016